(57)【特許請求の範囲】
【請求項１】
クランクシャフト（１９）のような回転させた工作物に成形溝をフライス削りするための切削チップであって、少なくとも２つの有効な切削縁部（１０）を有するほぼ６面体状の基体が設けられており、該基体が、互いに平行に配置された平らな２つの側面（１２）と２つの基面（１３，１４）とを有しており、前記側面（１２）にクリッパアームを受容するための構成が設けられているかまたは前記側面（１２）を固定孔（１１）が貫通しており、前記基面（１３，１４）にはそれぞれ向かい合う端部に、切削しようとする成形体に対応して円弧状に形成された切削縁部（１０）によって制限されたすくい面（１５）が設けられており、さらに互いに向かい合った前記切削縁部（１０）の間に２つの逃げ面（１６）が設けられている形式のものにおいて、
前記切削縁部（１０）が円弧状に形成されていて、該切削縁部（１０）が凸状に湾曲している突出した切削縁部領域（１０１）と、該切削縁部領域（１０１）に接続した凹状に湾曲している切削縁部領域（１０２）とを有しており、凸状に湾曲している前記切削縁部領域（１０１）の一部に境界を接する逃げ面領域（１７）が、０゜の逃げ角で配置されており、前記逃げ面領域（１７）と前記切削縁部（１０）に接続した逃げ面領域（１６）が円弧状の凹面を成すように湾曲させられていることを特徴とする切削チップ。
【請求項２】
切削縁部領域（１０１，１０２）によって規定された全成形領域において、０゜の逃げ面領域（１７）を除いた凹状の前記逃げ面（１６）の曲率半径（ＲＡ，ＲＢ，ＲＣ，ＲＤ）が、共通の軸線（３３）上に位置する中心点を有している、請求項１記載の切削チップ。
【請求項３】
すくい面凹部（１５）の、長手方向軸線（２３）の方向で測定されたすくい角（α）が切削縁部全体（１０）に沿って、０゜〜３０゜、有利には２０゜である、請求項１または２記載の切削チップ。
【請求項４】
切削縁部（１０）が波形に形成されていて、波形の輪郭（２５）の包絡線（２４）が凸状に湾曲している切削縁部領域（１０１）と凹状に湾曲している部分（１０２）とを有している、請求項１から３までのいずれか１項記載の切削チップ。
【請求項５】
波形の切削縁部の輪郭によって形成された歯が５゜〜２５゜の歯側面角（β）を有している、請求項４記載の切削チップ。
【請求項６】
全部で８つの有効な切削縁部が設けられており、これらの切削縁部が外側の両側面（１２）と平行な仮想断面（２７）に対して鏡面対称的に形成されている、請求項１から５までのいずれか１項記載の切削チップ。
【発明の詳細な説明】
【０００１】
本発明は、クランクシャフトのような回転させた工作物に成形溝をフライス削りするための切削チップであって、少なくとも２つの有効な切削縁部を有するほぼ６面体状の基体が設けられており、該基体が、互いに平行に配置された平らな２つの側面と２つの基面とを有しており、前記側面にクリッパアームを受容するための構成が設けられているかまたは前記側面を固定孔が貫通しており、前記基面にはそれぞれ向かい合う端部に、切削しようとする成形体に対応して円弧状に形成された切削縁部によって制限されたすくい面が設けられており、さらに互いに向かい合った前記切削縁部の間に２つの逃げ面が設けられている形式のものに関する。
【０００２】
クランクシャフトまたはカムシャフトを製造する際には、多数の種々異なる切削加工方法が使用されなければならない。この場合、実施しようとする切削加工工程における運転経過は、部分的に偏心的に配置されたジャーナルまたは軸行程ピンによって複雑なものとなっている。ドイツ連邦共和国特許出願公開第１９５４６１９６号明細書に記載された方法では、工作物、例えばクランクシャフトの端部が回転駆動可能な緊締チャックに緊締されて、工作物が中央長手方向軸線を中心に回転できるようになっている。加工するためには回転可能にサポートに支承されている円板状の高速工具が使用されるので、この高速工具は追従案内することができる。
【０００３】
２つの下方突切り溝と１つの加工ピンとから成る完全な輪郭を製造できるようにするためには、種々様々に配置された切削体が下方突切り溝加工と円筒状のピン加工、例えばクランク軸のクランクピンの切削加工のために使用される。下方突切り溝を製造するためには冒頭に記載した形式の切削チップが使用される。当該切削チップは工具保持体内に緊締ねじを用いて固定される。フライスにおける切削チップ受容部としてはカセットがしばしば使用される。該カセットの切削チップ座に切削チップが載置され緊締ねじを用いて固定される。
【０００４】
冒頭に記載した形式の切削チップの別の使用分野としては、ならい旋盤があげられる。
【０００５】
冒頭に記載した形式の切削チップでは、半径方向および／または軸線方向の組付け位置の適正化を行うことにより十分な逃げ角がもはや得られない場合に問題が生じる。楔角の減少によって拡大された逃げ角は切削縁部の安定性に対して負担となる。これにより生ぜしめられる差し迫った早期の切削縁部破損によって切削縁部の耐用寿命が減少される。さらに切削加工しようとする成形体の形に基づき、切削チップに種々異なる方向での切削力が加えられる。これらの切削力は切削チップ座における切削チップの安定的な固定を困難なものにする。
【０００６】
故に本発明の課題は冒頭に記載した形式の切削チップを改良して、切削チップを最適な傾斜でフレキシブルに組み込むことができるようにすることを保証し、従来技術により公知である切削チップよりも突切り溝の切削加工工程がスムーズである切削チップを提供することである。
【０００７】
前記課題は、請求項１の特徴部に記載の特徴を有する切削チップによって解決される。この構成では逃げ面が少なくとも部分的に円弧状の凹面を成して形成されているようになっている。このように凹面を成すように逃げ面を構成することによって逃げ角は拡大され、逃げ面中央に向かって大きな逃げ空間、つまり切削加工しようとする工作物に対する大きな間隔が得られる。この間隔は有利には０.３〜１ｍｍにしたい。この間隔によって工作物に対して相対的に切削チップを所望された形式で傾斜させることができる。さらに切削縁部は舌状に突出した円弧状の領域をも有している。
【０００８】
切削チップの別の改良形は請求項２以降に記載されている。
【０００９】
切削縁部は円弧状に形成され、有利には凸状に湾曲している突出した部分と、この部分に接続した凹状に湾曲している部分とを有している。例えば凸状に湾曲している部分はクランクシャフトに突切り溝もしくは下方突切り溝を切削加工するために使用され、凹状に湾曲している部分は、前記突切り溝から加工しようとするシリンダ面に延びる所望された形式の半径方向移行部を切削加工する。しかし本発明では多数の歯形を有する切削縁部成形部を含む別の切削縁部成形部も可能である。
【００１０】
さらに切削縁部を一層安定化するために有利には凸状に湾曲している切削縁部領域の一部に境界を接する逃げ面領域が０゜の逃げ角で配置されており、これに対してこの逃げ面領域に接続した部分面領域は凹状に湾曲させられている。前方の領域における切削縁部の安定化の他に、０゜の逃げ面構成は切削チップ座における切削チップの後方支持面としても働く。０゜で配置された逃げ面領域は、幅も高さも凸状の切削縁部領域に沿って制限されている。この幅および高さは有利には０．２〜２ｍｍである。
【００１１】
本発明の別の構成によれば、切削縁部の形状によって規定される全成形領域において、凹面を成す逃げ面の曲率半径は、０゜の逃げ面領域を除いて、共通の垂直軸線（切削チップの延長された載置面に対して垂直に配置されている線）上に前記曲率半径の中心点が位置するように構成されている。すくい面はすくい面凹部としてまたは凸面状にまたは切削縁部に続いて平らに、正のすくい角または負のすくい角または０゜のすくい角でもって形成されていてもよい。すくい面凹部の形が選択された場合には、すくい面凹部の、長手方向軸線の方向に測定されたすくい角は切削縁部全体に沿って０゜〜３０゜、有利には２０゜であるように構成される。これにより０゜の逃げ面領域が接続している切削縁部領域を除いて、切削縁部領域で比較的小さな楔角を有するシャープな切削縁部が得られる。
【００１２】
さらに本発明の別の構成によれば切削縁部が波形に形成されており、この場合には、例えば波状輪郭の包絡線は凹状に湾曲している部分と凸状に湾曲している部分とを有している。この実施形態は多数の歯を片側または両側に備えた成形切削チップ構成も含む。多数の歯を両側に備えて構成された場合には上側および下側が切削加工のために有効である。波形の切削縁部構造により形成された各歯は有利には５゜〜２５゜の歯側面角を有している。このような形式で小半径の複数の主切削刃および副切削刃が得られる。これらの切削刃は工作物を工具で突切り切削加工する際に相前後して配置され、これにより別の切削刃が係合するたびに、切削加工された表面の平滑化の進行が達成される。この表面の平滑化は仕上げ加工のために切削工具を引き戻す際にも継続される。
【００１３】
また本発明の別の構成によれば切削チップは全部で８つの有効な切削縁部を有している。これらの切削縁部は両側の側面に対して平行な切削チップの仮想断面に関して鏡像対称的に形成されているように構成されている。このように構成されると切削チップの一方に配置された切削縁部を左側に配置された下方突切り溝のために使用することができかつ別の側に配置された切削縁部を右側に配置された下方突切り溝のために使用することができる。このことは相応して反対側の４つの切削縁部にも当てはまる。
【００１４】
さらに凸状の切子成形部分および／または凹状の切子成形部分、つまり切子成形溝および／または凹部および／または隆起部を有するすくい面を形成することも可能である。このような切子成形部分としては従来技術では、例えば切子の引離しのほかに切子の変向を行うリブまたは長手方向に延びる凹部があげられている。切削チップは選択された緊締装置に応じて固定ねじを受容するために適した孔を有しているか、または例えばクリップアームまたは緊締アームを受容するためのクリップ凹部を有している。
【００１５】
次に図面に基づき本発明の実施例を詳説する。
【００１６】
図１〜図３から分かるように、切削チップはほぼ６面体状の基体を有している。この基体は少なくとも２つの有効な切削縁部１０と、固定孔１１が貫通している互いに平行に配置された平らな２つの側面１２と、いわゆる円弧状の切削縁部１０によって制限されたすくい面を向かい合うそれぞれの端部に有する２つの基面１３，１４と、逃げ面領域１７を除いた領域が凹面を成して形成された２つの逃げ面１６とを備えている。
【００１７】
図３および図１０では、軸線３０を中心に矢印２９の方向（図１参照）に回転させた、クランクシャフト１９に作用する切削工具もしくは切削チップの成形領域１８を見ることができる。切削縁部１０は舌状に突出した凸状の切削縁部領域１０１ならびに凹状にかつ場合によっては直線状に延びる領域１０２を有しており、これらの領域１０１と１０２とが一緒に切削縁部を形成している。切削縁部領域１０１は下方突切り溝２０を切削加工するために作用する。それに対し凹状もしくは直線状の切削縁部領域１０２は、下方突切り溝２０からシリンダ形状の表面部分２２への移行部を切削加工しようとするものである。
【００１８】
重要な特徴は、逃げ面１６が凹状の経過を有していることである。この逃げ面１６の凹状の経過は具体的な実施例では曲率半径ＲA，ＲB，ＲC，ＲDの中心点が共通の線３３上に位置しているように形成されている。凸状の切削縁部領域１０１の一部の下には０゜の逃げ角で配置された逃げ面領域１７が位置している。図１から詳しく分かるように、当該図面で見て後方の逃げ面領域１７１，１７２によって切削チップ座における後方の支持面が得られるのに対して、基面１４は載置面として働く。すくい面のすくい角αは切削チップの長手方向軸線２３の方向で測定して０゜〜３０゜、有利には２０゜である。
【００１９】
図１〜図４から分かる切削縁部の代わりに、切削縁部の包絡線２４が切削縁部領域１０１，１０２の凸状もしくは凹状の経過を有するが、しかし実際は波形に形成されている切削縁部を使用することができる（図５参照）。この切削縁部２５は、波形に形成された切削縁部２５の全ての点が矢印３４の方向から見えるように、つまり切削縁部がセットバックされないように形成されている。切削縁部に設けられた個々の歯は有利には５゜〜２５゜の歯側面角βを有している。図６のａ，ｂ，ｃおよびｄから明らかなようにすくい面１５を凹面状または凸面状または平らに形成することができる。この場合すくい角は正の角度または０゜または負の角度であってよい。図６のｃおよびｄには切子成形部分２６、つまり（二重）切子成形溝とレリーフ加工された切子成形部材を設けた実施例が示されている。切削縁部１０は載置面に対して平行な平面または載置面に対して鋭角に傾斜させられた平面に位置していてよい。切削縁部１０はまた凸状かつ／または凹状かつ／または波形に形成されていてもよい（正面図）。上述した切削チップは４つの有効な切削縁部１０を有している。
【００２０】
本発明の別の構成によれば、図９に示したように、有効な切削縁部の数を２倍にすることができる。このためには先に記載した切削チップが側面１２に向き合った、この側面１２よりも小さい側面２７に鏡像対称的に構成される。これにより各側に、先に述べた経過を有する４つの有効な切削縁部２８がそれぞれ形成されることになる。それぞれ軸線２７，３１と３２に対して切削チップは鏡像対称的である。
【図面の簡単な説明】
【図１】  本発明による切削チップの斜視図である。
【図２】  図１の切削チップの平面図である。
【図３】  図１の切削チップの基面もしくは両側のすくい面凹部の平面図である。
【図４】  すくい面凹部およびこれに境界を接する逃げ面領域を拡大した斜視図である。
【図５】  波形の輪郭を有するすくい面の平面図である。
【図６】  種々異なる形状を有するすくい面の側面図である。
【図７】  逃げ面の曲率半径を示した概略図である。
【図８】  図５に示した波形の突起（歯）の１つを拡大した図である。
【図９】  ８つの有効な切削縁部を有する別の切削チップの概略図である。
【図１０】  作業状態にある図１の切削チップの概略図である。
【符号の説明】
１０  切削縁部、  ，１０１，１０２  切削縁部領域、  １１  固定孔、  １２  側面、  １３，１４  基面、  １５  すくい面凹部、  １６  逃げ面、  １７，１７１，１７２  逃げ面領域、  １８  成形領域、  １９  クランクシャフト、  ２０  下方突切り溝、  ２１  移行領域、  ２２  表面部分、  ２３  長手方向軸線、  ２４  包絡線、  ２５  切削縁部、  ２６  切子成形部分、  ２７  軸線、  ２８  切削縁部、  ２９  矢印、  ３０，３１，３２  軸線、  ＲA，ＲB，ＲC，ＲD  曲率半径、  α  すくい角、  β  歯側面角
【図１】
0004274690.tif 000002
【図２】
0004274690.tif 000003
【図３】
0004274690.tif 000004
【図４】
0004274690.tif 000005
【図５】
0004274690.tif 000006
【図６】
0004274690.tif 000007
【図７】
0004274690.tif 000008
【図８】
0004274690.tif 000009
【図９】
0004274690.tif 000010
【図１０】
0004274690.tif 000011